(57)【要約】【課題】  音響機器の転倒を抑止でき、音質改善も期待できる音響機器用支持具を提供する。  【解決手段】  音響機器に取付け可能なプレートとプレートに設けられた突起を備え、プレートは音響機器に取り付けると音響機器の外側に突出する突出部を備え、突起はプレートの肉厚方向の外側に突出し、プレートを、突起が音響機器を設置する設置面側になるように音響機器に取り付けて、設置面とプレートとの間に空間を確保できるようにした。プレートはその肉厚方向に固定具を挿通可能な挿通孔を備え、その挿通孔から挿通した固定具を音響機器のスパイク穴に螺合することによって、音響機器に取付け可能としてもよい。突起をプレートと別体とし、プレートに脱着可能とした。プレートが嵌合凹部を備え、突起は嵌合凹部に嵌合可能な凸条又は凸片であり、嵌合凹部への嵌入状態で嵌合凹部から突出する高さである。突起を弾性体とした。【選択図】図１
2014220585.tif 000002
【特許請求の範囲】
【請求項１】
音響機器の底面側に取り付けて音響機器の転倒や横滑りを防止する音響機器用支持具において、
当該支持具は音響機器の底面に取付け可能なプレートと、当該プレートに設けられた突起を備え、
前記プレートは音響機器の底面に取り付けると音響機器の外側に突出する突出部を備え、
前記突起はプレートの肉厚方向の少なくとも一方の面の外側に突出し、
前記プレートを、前記突起が音響機器を設置する設置面側になるように音響機器の底面に取り付けて、設置面とプレートとの間に空間を確保できるようにした、
ことを特徴とする音響機器用支持具。
【請求項２】
請求項１記載の音響機器用支持具において、
プレートはその肉厚方向に、固定具を挿通可能な挿通孔を備え、その挿通孔から挿通した固定具を音響機器の底面に設けられたスパイク穴に螺合することによって、プレートを前記底面に取付け可能である、
ことを特徴とする音響機器用支持具。
【請求項３】
請求項１又は請求項２記載の音響機器用支持具において、
プレートと突起が別体であり、突起はプレートに脱着可能である、
ことを特徴とする音響機器用支持具。
【請求項４】
請求項３記載の音響機器用支持具において、
プレートが突起を嵌合可能な嵌合凹部を備え、突起は嵌合凹部に嵌合可能な凸条又は凸片であり、嵌合凹部への嵌入状態で嵌合凹部から突出する高さである、
ことを特徴とする音響機器用支持具。
【請求項５】
請求項１から請求項４のいずれか１項に記載の音響機器用支持具において、
突起が弾性体である、
ことを特徴とする音響機器用支持具。
【発明の詳細な説明】
【技術分野】
【０００１】
本発明は、各種音響機器の筐体に取り付けて使用する音響機器用の支持具に関する。
【背景技術】
【０００２】
高画質の映像が楽しめる液晶テレビが広く普及している昨今、筐体（エンクロージャー）にスピーカーユニットが搭載されたスピーカーシステムのように、迫力のあるサウンドを楽しめる音響機器にも注目が集まっている。
【０００３】
音響機器は、床などの設置面に直置きすることもあるが、筐体の底面にスパイクと呼ばれる下向き円錐状の部材を取り付け、そのスパイクを介して設置面に置くこともある（特許文献１）。スパイクを取り付けて音響機器を設置すると、音響機器の底板と床の間に隙間ができるため、接触面との反作用（振動を打ち消す方向の作用）が低減され、メーカーの意図する音の明瞭さや伸びが実現されやすくなるという効果がある。スパイクはインシュレーターと呼ばれる円盤状の受け具に載せて使用されることもある。
【０００４】
音響機器の一つであるスピーカーシステムには各種構造のものがあり、広く普及しているものとして、トールボーイ型スピーカーと呼ばれるものがある。トールボーイ型スピーカーは横幅（横寸法）に比べて高さ（縦寸法）が長いため、周方向（前後方向や横方向）からの外力を受けると転倒（横転）しやすいという問題がある。使用者からはこの転倒を防止するための支持具が待望されている。
【０００５】
従来、音響機器の転倒を防止するための支持具として、スピーカーシステムの質量分布を下方へ偏移する（スピーカーシステムの下方を重くする）ことによって、スピーカーシステムの転倒を防止する音響機器用支持具（特許文献２）や、筐体底面に平板を固定し或いは筐体側面にＬ金具を固定することによって、音響機器を支持する手段が提案されている（特許文献３）。
【先行技術文献】
【特許文献】
【０００６】
【特許文献１】特開２０１２−１５１８１３号公報
【特許文献２】特開２００９−７７３１４号公報
【特許文献３】特開２０１２−２２０５０８号公報
【発明の概要】
【発明が解決しようとする課題】
【０００７】
前記特許文献１に開示されたスパイクは、スピーカーシステムを点で支持するものであるため、周方向の外力に対する改善は必ずしも十分ではなく、依然として転倒の問題が残る。円盤状のインシュレーターに載せることである程度の安定感は得られるが、スパイクとインシュレーターはあくまでも別体であるため、周方向の力によってスパイクがインシュレーターから落ちて転倒する懸念がある。
【０００８】
前記特許文献２に開示された支持具は、筐体の底側に空間を備えていることが必須条件であるため、このような空間のない既存のスピーカーシステムには使用できないという難点がある。また、質量分布を下方へ偏移するために筐体の底側の空間に錘を取り付ける場合、その取付けが大変であるという難点もある。
【０００９】
前記特許文献３に開示された筐体底面に平板を固定する方法は、音響機器の設置に少なくとも平板分の面積を必要とするため、狭い場所での利用には適さない。同文献の筐体側面にＬ金具を固定する方法は、Ｌ金具の取付け位置が決まっていないため、Ｌ金具の取付け位置の特定に手間がかかる。Ｌ金具の取付け位置次第では、音響機器を安定した状態で支持できないという難点がある。
【００１０】
本発明の解決課題は、スピーカーシステムをはじめとする音響機器に取り付けることができ、取付け位置の特定が容易で手間が掛らず、音響機器に取り付けても場所を取らず、音響機器に取り付けることによって音響機器の転倒を効果的に防止することができ、音質改善も期待できる音響機器用支持具を提供することにある。
【課題を解決するための手段】
【００１１】
本発明の音響機器用支持具は、音響機器に取り付けて音響機器の転倒や横滑り（横方向や前後方向の移動を含む。以下同じ。）を防止する音響機器用支持具において、当該支持具は音響機器の底面に取付け可能なプレートと、当該プレートに設けられた突起を備え、プレートは音響機器の底面に取り付けると音響機器の外側（音響機器の筐体の端面よりも外側）に突出する突出部を備え、突起はプレートの肉厚方向の少なくとも一方の面の外側に突出し、前記プレートを、突起が音響機器を設置する設置面（例えば室内の床面）側になるように音響機器の底面に取り付けて、設置面とプレートとの間に空間を確保できるようにしたものである。
【００１２】
前記プレートはその肉厚方向に、固定具（例えば、ボルト、ネジ等）を挿通可能な挿通孔を備え、その挿通孔から挿通した固定具を音響機器の底面に設けられたスパイク穴に螺合することによって、プレートを音響機器の底面に取付け可能とすることができる。
【００１３】
前記突起はプレートに脱着可能とすることができる。この場合、プレートは、突起を嵌合可能な嵌合凹部（溝、孔、窪み等）を備えたものとし、突起は、嵌合凹部に嵌合可能な凸条、凸片とすることができる。凸条、凸片の形状は任意形状（例えば、リング状、放射状）にすることができる。凸条、凸片の高さは嵌合凹部への嵌入状態で嵌合凹部から突出する寸法とする。
【００１４】
前記突起は弾性体（例えば、ゴム製、樹脂製）とするのが望ましい。
【発明の効果】
【００１５】
本発明の音響機器用支持具には、次の効果がある。
（１）プレートは、音響機器の底面に取り付けると音響機器の外側（音響機器の筐体の端面よりも外側）に突出する突出部を備えているので音響機器の支持が安定し、音響機器が周方向からの外力を受けても転倒しにくい。
（２）音響機器が安定することにより、音質改善効果も期待できる。具体的には、低域が締り、フォーカスがシャープな印象になる。
（３）突起を設置面側にして音響機器の底面に取り付けて、床などの設置面に置くと、設置面とプレートとの間に空間が確保され、スパイクと同様の効果が期待できる。
（４）プレートの全面ではなく、突起だけが設置面に接触するので、スピーカーシステムの振動に対する反作用が小さく、明瞭さや伸びのある音が実現されやすい。
（５）音響機器のスパイク穴を利用して取付け可能であるため、既存の音響機器に容易に取り付けることができる。
（６）突起をプレートと別体とした場合、材質、形状、突出寸法等が異なる突起を数種類用意することによって、それら突起を設置面の状況に合わせて使用することができ、転倒や滑りを防止でき、良質な音質を確保することができる。
（７）突起が弾性体の場合、従来のスパイクに比べて床に傷がつきにくく、音響機器の横滑りをより一層確実に防止することができる。また、外部振動を吸収できるので、外部振動の影響を受けにくく、音響機器本来の音質を確保することができる。
【図面の簡単な説明】
【００１６】
【図１】本発明の音響機器用支持具の使用状態を示す斜視図。
【図２】本発明の音響機器用支持具をスピーカーシステム（トールボーイ型スピーカー）に取り付けた状態の底面斜視図。
【図３】本発明の音響機器用支持具の取付け構造を示すものであって、（ａ）は固定具としてＭ８ネジを用いた場合の断面図、（ｂ）は固定具としてＭ６ネジを用いた場合の断面図。
【図４】本発明の音響機器用支持具の一例を示すものであって、（ａ）はその平面図、（ｂ）は（ａ）の底面図、（ｃ）は（ａ）の正面図（背面図、左右側面図も同じ）。
【発明を実施するための形態】
【００１７】
（実施形態）
本発明の音響機器用支持具１（以下、単に「支持具」という）の実施形態を、図１〜４を参照して説明する。ここでは、音響機器Ｘが図１に示すようなトールボーイ型スピーカーの場合を一例として説明するが、本発明の支持具１は他の形態のスピーカーシステムや、スピーカーシステム以外の音響機器にも使用することができる。
【００１８】
本発明の支持具１は、図１及び２に示すように、音響機器Ｘ（具体的には音響機器の筐体）の底面の四隅に取り付けて使用するものである。一例として図１〜４に示す支持具１は、円形のプレート２の底面２ａに環状の突起３が設けられたものである。本願において環状とは、連続した環状のみならず、複数の部材が間隔をあけて環状に配列されたものを含む概念である。
【００１９】
一例として図示するプレート２は、直径７４ｍｍ、厚さ８ｍｍ程度の円盤状であり、その中心には肉厚方向に貫通する挿通孔４が設けられている。挿通孔４は固定用のネジ（ボルトを含む）５を挿通可能な大きさとしてあり、プレート２の底面２ａ側から挿通孔４にネジ５を挿通し、そのネジ５を音響機器Ｘの筐体の底面に設けられたスパイク穴６に螺合することによって、支持具１を音響機器Ｘの底面に取り付けられるようにしてある。
【００２０】
挿通孔４の底面側は裾広がりのテーパー状としてあり、支持具１を音響機器Ｘの筐体にネジ５で取り付けた際に、ネジ５の頭部が挿通孔４内に収まるようにしてある。
【００２１】
前記実施形態では、挿通孔４をプレート２の中心に設けてあるが、挿通孔４は中心からずれた位置（偏心位置）に設けることもできる。また、挿通孔４は真円に限らず、長穴等の他の形状とすることもできる。
【００２２】
プレート２は円盤に限らず、多角形状や楕円状、星形等の他の形状とすることもできる。いずれの場合も、音響機器Ｘの安定性を確保する観点から、音響機器Ｘの筐体に取り付けた際に、プレート２の少なくとも一部（外周部分：突出部２ｂ）が音響機器Ｘの筐体の端面（側周面）よりも外側に突出する形状又は／及びサイズとするのが好ましい。
【００２３】
前記リング状の突起３はプレート２の底面２ａに設けられたリング状の嵌合凹部７に嵌合されている。この実施形態では、図４（ｂ）に示すように、嵌合凹部７をプレート２の外周縁の近くに設けてあるが、これ以外の場所に設けることもできる。嵌合凹部７は二以上設けることもでき、例えば、プレート２の外周縁の近くに設けるとともに、それよりも径の小さな嵌合凹部７をプレート２の中心部寄りの同心円上に設けることができる。
【００２４】
嵌合凹部７はリング状以外の形状であってもよく、例えば、複数本の嵌合凹部７を放射状或いは平行に設けたり、格子状に設けたりすることができる。リング状の場合であっても円形のリング形状以外であってもよく、例えば、楕円形、三角形、四角形といったリング状にすることもできる。円形にすると方向性が無く、どの方向からの外力に対しても倒れたり位置ずれしたりし難くなる。いずれの場合も、嵌合凹部７に嵌合した突起３の一部が、音響機器Ｘの筐体の端面（側周面）よりも外側に位置するように設けるのが好ましい。なお、嵌合凹部７は直線に限らず、波状などとすることもできる。
【００２５】
嵌合凹部７に嵌合される突起３は音響機器Ｘに取り付けた際に、当該音響機器Ｘを設置する面（設置面：例えば床面）に接触して、音響機器Ｘの転倒を防止するとともに、その摩擦力によって音響機器Ｘの位置ずれを防止するものである。一例として図示する突起３はゴム製の円形リングであり、その外径がプレート２の直径よりも小さく、プレート２の底面２ａに設けられた嵌合凹部７に嵌合できるサイズとしてある。突起３の形状、寸法、材質等は嵌合凹部７の形状や設置面の状況等に応じて適宜設計することができる。突起３の高さは嵌合凹部７の深さよりも高くして（肉厚として）、嵌合凹部７に嵌合した際に表面側（露出側）がプレート２の底面２ａよりも外側（設置面側）に突出して、設置面に接触するようにしてある。
【００２６】
［支持具の取付け］
前記プレート２と突起３を備えた本発明の支持具１は、図２に示すように音響機器Ｘの底面に宛がい、プレート２の底面２ａ側から挿通孔４にネジ５（例えば、六角穴付き皿ボルト）を挿通し、そのネジ５を音響機器Ｘの筐体の底面に設けられたスパイク穴６に螺合することによって、音響機器Ｘの底面に取り付けることができる。
【００２７】
一般的なスパイク穴６の大きさ（径）は８ｍｍ又は６ｍｍであり、本発明の支持具１はいずれのサイズのスパイク穴６にも対応できるようにしてある。具体的には、図３（ａ）（ｂ）に示すように、挿通孔４の底面側をテーパー状にし、８ｍｍ用固定具（Ｍ８ネジ）と６ｍｍ用固定具（Ｍ６ネジ）の双方が収まるようにしてある。
【００２８】
例えば、スパイク穴６が８ｍｍである場合、Ｍ８のネジ５を図３（ａ）に示すように挿通孔４に挿し込んでスパイク穴６に螺合すると、ネジ５の頂部がプレート２の底面２ａと面一（略面一を含む）となる。他方、スパイク穴６が６ｍｍである場合、Ｍ６のネジ５を図３（ｂ）に示すように挿通孔４に挿し込んでスパイク穴６に螺合すると、ネジ５の頭部がプレート２の挿通孔４内に収まるようにしてある。いずれの場合も、ネジ５の頭部のテーパー部５ａが挿通孔４のテーパー部４ａに面接触するようにしてある。
【００２９】
ネジ５の頭部のテーパー部５ａが挿通孔４のテーパー部４ａ内に面接触することで、プレート２のがたつきが防止され、音響機器Ｘが安定しやすくなる。
【００３０】
（その他の実施形態）
前記実施形態のプレート２はアルミ基板にアルマイト加工を施したものであるが、プレート２はこれ以外の材質製とすることもできる。具体的には、例えば、木製やゴム製、セラミック製等とすることができる。プレート２をゴム製とする場合、突起３と一体物とすることもできる。
【産業上の利用可能性】
【００３１】
本発明の支持具１は、スピーカーシステムの筐体のほか、アンプやプレーヤーを収容したキャビネットなどの他の音響機器Ｘに使用してもよい。この場合、機器を安定させる効果や、音質を改善する効果が期待できる。
【符号の説明】
【００３２】
１    音響機器用支持具（支持具）
２    プレート
２ａ  （プレートの）底面
２ｂ  （プレートの）突出部
３    突起
４    挿通孔
４ａ  （挿通孔の）テーパー部
５    ネジ
５ａ  （ネジの頭部の）テーパー部
６    スパイク穴
７    嵌合凹部
Ｘ    音響機器
【図１】
2014220585.tif 000003
【図２】
2014220585.tif 000004
【図３】
2014220585.tif 000005
【図４】
2014220585.tif 000006